【手続補正書】
【提出日】平成17年6月23日(2005.6.23)
【手続補正１】
【補正対象書類名】明細書
【補正対象項目名】全文
【補正方法】変更
【補正の内容】
【書類名】      明細書
【発明の名称】  測定装置
【特許請求の範囲】
【請求項１】  表示部に表示された複数の設定項目のいずれかに対応する表示部位にカーソルが位置合わせされた状態で、その設定項目について設定可能に構成された測定装置において、
前記カーソルが位置する表示部位に対応する前記設定項目と、他の設定項目とを判別可能に表示することを特徴とする測定装置。
【請求項２】  前記複数の設定項目に応じた行方向設定項目見出しおよび列方向設定項目見出しを前記表示部に表示し、前記カーソルが所定の表示部位に位置合わせされたときに、その表示部位に対応する前記行方向設定項目および前記列方向設定項目見出しと、他の前記行方向設定項目見出しおよび前記列方向設定項目見出しとを判別可能に表示することを特徴とする請求項１記載の測定装置。
【請求項３】  前記表示部における単位行方向当たりに複数の前記行方向設定項目見出しを表示し、当該複数の前記行方向設定項目見出しのいずれか１つに対応する表示部位に前記カーソルが位置合わせされたときに、そのいずれか１つの行方向設定項目見出しと、他の前記行方向設定項目見出しとを判別可能に表示することを特徴とする請求項２記載の測定装置。
【請求項４】  前記表示部における単位列方向当たりに複数の前記列方向設定項目見出しを表示し、当該複数の前記列方向設定項目見出しのいずれか１つに対応する表示部位に前記カーソルが位置合わせされたときに、そのいずれか１つの列方向設定項目見出しと、他の前記列方向設定項目見出しとを判別可能に表示することを特徴とする請求項２記載の測定装置。
【請求項５】  前記カーソルを位置合わせ可能な前記表示部位に表示する文字または記号を、少なくとも固定的に表示する文字または記号よりも拡大表示することを特徴とする請求項１から４のいずれかに記載の測定装置。
【請求項６】  設定頻度の高い前記設定項目についての前記文字または前記記号を拡大表示することを特徴とする請求項１から４のいずれかに記載の測定装置。
【発明の詳細な説明】
【０００１】
【発明の属する技術分野】
本発明は、表示部に表示された複数の設定項目のいずれかに対応する表示部位にカーソルが位置合わせされた状態で、その設定項目についての設定を可能に構成された測定装置に関するものである。
【０００２】
【従来の技術】
この種の測定装置として、出願人は、図６に示す波形表示装置５１を既に開発している。この波形表示装置５１は、同図に示すように、各種の表示画面を切り替え表示可能な表示部５２と、操作部５３とを備え、操作部５３には、ＣＨＡＮキー４、ＤＩＳＰキー５、ジョグダイヤル６ａ、シャトルダイヤル６ｂ、カーソル移動用キー部７およびファンクションキー部８などの各種の操作スイッチが配設されている。また、波形表示装置５１には、各種の電気的な測定が可能な測定ユニットを挿入するための測定ユニット挿入スロット（図示せず）が本体右側面側に複数配設されている。この場合、波形表示装置５１は、測定目的に応じた測定ユニットが測定ユニット挿入スロットに挿入されると、挿入された測定ユニットに対して予め定めた規則に従ってチャネル番号を割り当てる。したがって、オペレータは、割り当てられたチャネル毎に、入力レンジや表示倍率などの動作条件を設定することにより、波形表示装置５１に対して、そのチャネルに対応する測定ユニットによって測定された電圧、電流、温度および歪みなどの各種の信号波形の表示部５２への表示や、図外のプリンタによる印刷、およびフロッピーディスクへの記録などを実行させることができる。
【０００３】
この波形表示装置５１では、例えば、チャネル２についての入力レンジを５ｍＶに設定する場合には、まず、操作部５３のＣＨＡＮキー４を操作することにより、図７に示すように、チャネル設定用画面６２を表示部５２に表示させる。次に、カーソル移動用キー部７の各キー７ａ〜７ｄを操作することにより、表示部５２に表示されているＣＨ「２」についての「レンジ」に対応する表示部位にカーソル６０を移動させる（同図は、カーソル６０が、既に移動させられた状態を示している）。次いで、ファンクションキー部８のキー８ａ，８ｂ、ジョグダイヤル６ａまたはシャトルダイヤル６ｂを操作することにより、チャネル２のレンジを「５ｍＶ」に変更する。この状態で、ファンクションキー部８のキー８ｅを操作すると、チャネル２の入力レンジが「５ｍＶ」に設定変更される。この後、ＤＩＳＰキー５を操作すると、図６に示すように、波形表示用画面６１が表示部２に表示され、波形表示用画面６１には、チャネル２に対応する記録対象信号の信号波形が設定変更された入力レンジに応じた振幅で表示される。
【０００４】
一方、チャネル２に入力されている記録対象信号のノイズを除去する場合には、チャネル設定用画面６２を表示部２に表示させた状態で、カーソル移動用キー部７の各キー７ａ〜７ｄを操作することにより、図８に示すように、ＣＨ「２」についての「フィルタ」に対応する表示部位にカーソル６０を移動させる。次に、ファンクションキー部８のキー８ａを操作することにより、ノイズフィルタの機能を「ＯＮ」に設定した後に、キー８ｅを操作する。これにより、チャネル２についてノイズフィルタが機能し、ノイズフィルタは、チャネル２に入力されている記録対象信号に重畳されているノイズを除去する。この後、所定の操作によって記録対象信号の記録を開始することにより、各測定ユニットに入力されている記録対象信号が、割り当てられたチャネル番号に対応させられてフロッピーディスクなどに記録される。
【０００５】
【発明が解決しようとする課題】
ところが、出願人が既に開発している波形表示装置５１には、以下の改善すべき点がある。
第１に、この波形表示装置５１では、例えば、チャネル毎の動作条件を設定する場合、チャネル設定用画面６２が表示部５２に表示された際に、チャネル設定用画面６２におけるどの位置にカーソル６０が表示されているのかをオペレータに直ちに判別させるのが困難である。このため、オペレータが設定変更しようとする設定項目に対応する表示部位へのカーソル６０の迅速な移動や、動作条件などの正確な設定を阻害するおそれがあり、これを改善すべきとの要請がある。
【０００６】
第２に、チャネル設定用画面６２などでは、複数の設定項目が行列状に縦横に整然と配列されて表示されている。このため、測定ユニットの増設に伴ってチャネル数を数多く表示する場合には、キー操作によってカーソル６０を移動させた際に、移動後のカーソル６０の表示位置に対応する動作条件項目およびチャネル番号について、オペレータが、行方向または列方向に対する錯覚に起因して動作条件設定項目を誤判別してしまうおそれがある。具体的には、例えば、チャネル２についての「レンジ」を設定変更しようとした場合における、列方向の錯覚に起因してのチャネル３についての「レンジ」の誤設定や、「０位置」を設定変更しようとした場合における、列方向の錯覚に起因しての「レンジ」についての誤設定などを生じさせてしまうことがある。
【０００７】
第３に、波形表示装置５１では、表示部５２に表示されている設定項目の内容などが小さいポイント数で表示されているため、チャネル設定用画面６２などにおいて設定操作を行う際に設定前および設定後の内容を読み取りにくいという課題がある。この場合、例えば、大きなポイント数で表示させることも可能ではある。しかし、例えば、複数のチャネルに対応する各動作条件の設定値をすべて大きなポイント数で表示した場合には、表示部５２の表示画面を大きくする必要があり、装置の大型化を招いてしまう。また、一画面上に表示するチャネル数を少なくした場合には、オペレータに対して、必要以上に画面の切替操作を強いることになる。
【０００８】
本発明は、かかる改善点に鑑みてなされたものであり、迅速かつ正確な設定操作が可能な測定装置を提供することを主目的とする。また、装置の小型化を維持しつつ、設定内容などを容易に読み取ることが可能な測定装置を提供することを他の目的とする。
【０００９】
【課題を解決するための手段】
上記目的を達成すべく請求項１記載の測定装置は、表示部に表示された複数の設定項目のいずれかに対応する表示部位にカーソルが位置合わせされた状態で、その設定項目について設定可能に構成された測定装置において、カーソルが位置する表示部位に対応する設定項目と、他の設定項目とを判別可能に表示することを特徴とする。
【００１０】
この測定装置では、動作条件を設定するために任意の設定項目にカーソルを位置合わせした際に、カーソルが表示されている表示部位に対応する設定項目と、他の設定項目とを判別可能に表示する。したがって、カーソルによって指定されている設定項目を容易に判別することが可能となる結果、迅速かつ正確に動作条件などの設定操作を行うことが可能となる。
【００１１】
請求項２記載の測定装置は、請求項１記載の測定装置において、複数の設定項目に応じた行方向設定項目見出しおよび列方向設定項目見出しを表示部に表示し、カーソルが所定の表示部位に位置合わせされたときに、その表示部位に対応する行方向設定項目および列方向設定項目見出しと、他の行方向設定項目見出しおよび列方向設定項目見出しとを判別可能に表示することを特徴とする。
【００１２】
この測定装置では、複数の設定項目からなる設定用画面などを表示部に表示する際に、カーソルを位置合わせした表示部位に対応する行方向設定項目見出しおよび列方向設定項目見出しを反転表示させるなどして、他の行方向設定項目見出しおよび列方向設定項目見出しと判別可能に表示部に表示する。したがって、オペレータは、カーソルによって指定されている設定項目を容易に判別することが可能となる結果、動作条件などを迅速かつ、より正確に設定することが可能となる。
【００１３】
請求項３記載の測定装置は、請求項２記載の測定装置において、表示部における単位行方向当たりに複数の行方向設定項目見出しを表示し、複数の行方向設定項目見出しのいずれか１つに対応する表示部位にカーソルが位置合わせされたときに、そのいずれか１つの行方向設定項目見出しと、他の行方向設定項目見出しとを判別可能に表示することを特徴とする。
【００１４】
請求項４記載の測定装置は、請求項２記載の測定装置において、表示部における単位列方向当たりに複数の列方向設定項目見出しを表示し、複数の列方向設定項目見出しのいずれか１つに対応する表示部位にカーソルが位置合わせされたときに、そのいずれか１つの列方向設定項目見出しと、他の列方向設定項目見出しとを判別可能に表示することを特徴とする。
【００１５】
請求項３，４記載の測定装置では、表示部における単位行方向（または単位列方向）当たりに複数の設定項目見出しを設ける場合、その設定項目の表示位置に応じて複数の行方向設定項目見出しまたは複数の列方向設定見出しを表示する。そして、複数の行方向設定項目見出し（または複数の列方向設定見出し）のいずれか１つに対応する表示部位にカーソルが位置合わせされたときに、そのいずれか１つの行方向設定項目見出し（または列方向設定見出し）と、他の行方向設定項目見出し（または列方向設定見出し）とを判別可能に表示する。したがって、オペレータは、表示部における単位行方向当たりまたは単位列方向当たりに複数の設定項目があるときであっても、カーソルによって指定されている設定項目およびその設定項目の内容を容易に判別することが可能となる結果、さらに迅速かつ正確に動作条件などの設定操作を行うことが可能となる。
【００１６】
請求項５記載の測定装置は、請求項１から４のいずれかに記載の測定装置において、カーソルを位置合わせ可能な表示部位に表示する文字または記号を、少なくとも固定的に表示する文字または記号よりも拡大表示することを特徴とする。
【００１７】
この測定装置では、カーソルを位置合わせ可能な表示部位（つまり設定項目の表示部位）に表示する文字または記号を、固定的に表示する文字または記号よりも拡大して表示する。したがって、すべての文字を拡大表示する場合と比較して、装置の小型化を維持しつつ、設定項目の内容を読み取り易く表示させることが可能となる。
【００１８】
請求項６記載の測定装置は、請求項１から４のいずれかに記載の測定装置において、設定頻度の高い設定項目についての文字または記号を拡大表示することを特徴とする。
【００１９】
この測定装置では、設定頻度の高い設定項目についての文字または記号を拡大表示する。したがって、オペレータは、設定頻度の高い設定項目についての設定操作を正確かつ容易に行うことが可能となる。また、すべての設定項目についての文字や記号を拡大表示する場合と比較して、表示部の表示面積を有効に利用することが可能となる。
【００２０】
【発明の実施の形態】
以下、添付図面を参照して、本発明に係る測定装置を波形表示装置に適用した実施の形態について説明する。なお、出願人が既に開発している波形表示装置５１と同一の構成要素については、同一の符号を付して重複した説明を省略する。
【００２１】
最初に、波形表示装置１の構成について図１，２を参照して説明する。
【００２２】
波形表示装置１は、図１に示すように、表示部２および操作部３を備えている。表示部２は、カラーＬＣＤが採用されており、記録対象信号の信号波形を表示するための波形表示用画面２１や、後述するチャネル設定用画面２２などを表示する。操作部３には、チャネル設定用画面２２などを表示部２に表示させるためのＣＨＡＮキー４と、波形表示用画面２１を表示部２に表示させるＤＩＳＰキー５と、チャネル設定用画面２２などにおいて設定値を変更するためのジョグダイヤル６ａおよびシャトルダイヤル６ｂと、表示部２上でカーソル２０を上下左右に移動させるためのキー７ａ，７ｂ，７ｃ，７ｄを有するカーソル移動用キー部７と、表示部２に表示された機能表示に対応する各種の機能が状況に応じて割り付けられるキー８ａ〜８ｅを有するファンクションキー部８と、設定変更対象のチャネル番号を数値で直接指定するためのキー９ａ〜９ｐを有するチャネル指定用キー部９とが配設されている。
【００２３】
また、波形表示装置１は、図２に示すように、測定ユニット挿入部１１、ＣＰＵ１２、ＲＯＭ１３、ＲＡＭ１４、プリンタ１５およびＦＤＤ１６を備えている。この場合、測定ユニット挿入部１１は、複数の測定ユニット挿入スロットを備え、例えば、電圧、電流、温度および歪みなどを測定するための各種の測定ユニットを最大で４枚まで挿入可能に構成されている。また、各測定ユニットＵＮとして、例えば、２つの信号入力コネクタ、４つの信号入力コネクタ、または、２つの信号入力コネクタおよび２つの信号入力端子を備える３つのタイプが用いられる。一方、波形表示装置１は、測定目的に応じた測定ユニットＵＮ１〜ＵＮ４（以下、区別しないときには、「測定ユニットＵＮ」ともいう）が測定ユニット挿入部１１に挿入されると、挿入された測定ユニットＵＮの信号入力コネクタおよび信号入力端子に対して予め定めた規則に従ってチャネル番号を割り当てる。したがって、オペレータは、割り当てられたチャネル毎に、入力レンジや表示倍率などの動作条件を設定することにより、波形表示装置１に対して、そのチャネルに対応する信号入力コネクタまたは信号入力端子を介して入力されて測定ユニットＵＮによって測定された各種の信号波形の表示部２への表示や、プリンタ１５による印刷、およびＦＤＤ１６によるフロッピーディスクへの記録などを実行させることができる。
【００２４】
ＣＰＵ１２は、表示部２に各種の表示画面を表示させる際の表示制御や、各測定ユニットＵＮによって測定された測定結果の演算などを実行する。ＲＯＭ１３は、ＣＰＵ１２の動作プログラムなどを記憶し、ＲＡＭ１４は、ＣＰＵ１２の演算結果などを一時的に記憶する。プリンタ１５は、サーマルプリンタが用いられており、各測定ユニットＵＮによって測定された記録対象信号についての信号波形や、表示部２に表示される表示画面のハードコピーなどを印刷する。ＦＤＤ１６は、記録対象信号の記録や、波形表示装置１の動作条件設定値などを図外の３．５インチのフロッピーディスクに記録する。
【００２５】
次に、波形表示装置１の動作条件を設定する際の設定操作について図面を参照して説明する。
【００２６】
まず、図外の電源スイッチを投入すると、図１に示すように、波形表示用画面２１が表示部２に表示される。この波形表示用画面２１には、例えば、２つの信号入力コネクタをそれぞれ有する測定ユニットＵＮ１，ＵＮ２に入力されたチャネル１〜チャネル４に対応する信号波形Ｗ１〜Ｗ４などがそれぞれ表示される。この場合、例えば、チャネル２についての入力レンジを「２０ｍＶ」に設定するときには、まず、操作部３のＣＨＡＮキー４を操作することにより、図３に示すチャネル設定用画面２２を表示部２に表示させる。次に、カーソル移動用キー部７の各キー７ａ〜７ｄを操作することにより、ＣＨ「２」についての「レンジ」に対応する表示部位にカーソル２０を移動させる。このとき、画面右上には、入力レンジとして選択可能な複数の設定候補を表示する設定値候補表示部３１が表示される。
【００２７】
この場合、チャネル設定用画面２２では、各チャネル毎の設定項目についての内容を示した列方向設定見出し２５における「レンジ」の文字を取り囲むように太枠２５ａが表示されると共に、チャネル２についての設定項目全体が、チャネル２についての行方向設定見出しである文字の「２」を含む１つの行（本発明における単位行に相当する）全体を取り囲むように太枠２６ａが表示される。このため、チャネル設定用画面２２内におけるカーソル２０の表示位置を直ちに判別させることができると共に、カーソル２０が位置合わせされている設定項目の内容を容易に判別させることができる。また、チャネル設定用画面２２では、設定頻度の高い設定項目（例えば、「レンジ」、「倍率」、「０位置」）についての設定値が、他の設定項目についての数値や文字（例えば、フィルタについての「ＯＮ」および「ＯＦＦ」や、上限値および下限値についての数値）と比較して大きなポイント数の文字で表示されている。このため、この波形表示装置１では、表示部２の小型化を維持しつつ、オペレータに対して設定頻度の高い設定項目の内容を読み取り易く表示する。
【００２８】
次いで、ファンクションキー部８のキー８ａ、ジョグダイヤル６ａまたはシャトルダイヤル６ｂを操作することにより、設定値候補表示部３１における「２０ｍＶ」の部位にカーソル３０を移動させる（同図は、既にカーソル３０が移動させられた状態を示している）。続いて、キー８ｅを操作することにより、カーソル３０によって選択された「２０ｍＶ」がチャネル２についての入力レンジ値として確定される。この後、ＤＩＳＰキー５を操作することにより、表示部２には、波形表示用画面２１が再び表示され、信号波形Ｗ２が、変更された入力レンジ値に対応して表示される（図示せず）。
【００２９】
また、波形表示装置１では、測定ユニット内のＡ／Ｄ変換器における上限値および下限値（つまり、測定可能な信号レベル範囲）を各チャネル毎に設定することができる。例えば、チャネル３についての下限値を設定するときには、まず、ＣＨＡＮキー４を操作することにより、図４に示すバリアブル設定用画面２３を表示部２に表示させる。次に、カーソル移動用キー部７の各キー７ａ〜７ｄを操作することにより、ＣＨ「３」についての「下限値」に対応する表示部位にカーソル２０を移動させる（同図は、既にカーソル２０が移動させられた状態を示している）。この際に、バリアブル設定用画面２３では、各チャネル毎の設定項目についての内容を示した列方向設定見出し２７における「下限値」の文字を取り囲むように太枠２７ａが表示されると共に、チャネル３について設定項目全体が、チャネル３についての行方向設定見出しである文字の「３」を含む１つの行全体を取り囲むように太枠２８ａが表示される。この場合にも、バリアブル設定用画面２３内におけるカーソル２０の表示位置を直ちに判別させることができると共に、カーソル２０が位置合わせされている設定項目の内容を容易に判別させることができる。
【００３０】
次いで、ファンクションキー部８のキー８ａを操作することにより、図５に示すように、設定値入力用画面４１をバリアブル設定用画面２３上に表示させる。この場合、設定値入力用画面４１の設定値表示部４２には、バリアブル設定用画面２３においてカーソル２０が位置合わせされている表示部位の設定値が表示される。また、設定値入力用画面４１上に表示されているアップ／ダウン矢印表示および「＋／−」表示と、これらの表示の下側に位置するチャネル指定用キー部９の各キー９ａ〜９ｐとが対応付けられ、この例では、例えば、設定値表示部４２に表示されている数値の小数点以下第４位の数値「９」は、対応付けられたキー９ｍが操作される毎に１つずつ減少する。次いで、チャネル指定用キー部９の各キー９ａ〜９ｐを操作して設定値表示部４２に表示されている設定値を変更した後、ファンクションキー部８のキー８ｅを操作することにより、その変更した設定値がバリアブル設定用画面２３におけるカーソル２０の表示位置に入力される。この後、必要に応じて上限値についても変更設定する。この後、操作部３のＤＩＳＰキー５を操作することにより波形表示用画面２１が表示部２に再び表示され、その波形表示用画面２１には、設定された上限値および下限値に応じた信号波形Ｗ３が表示される（図示せず）。
【００３１】
なお、本発明は、上記した本発明の実施の形態に示した構成に限定されない。例えば、本発明の実施の形態では、チャネル設定用画面２２およびバリアブル設定用画面２３において、カーソル２０が表示されている設定項目に対応する列方向設定見出し２５，２７について太枠２５ａ，２７ａを表示すると共に、カーソル２０が表示されているチャネルの行方向の全設定項目について太枠２６ａ，２８ａを表示することにより、他の列方向設定見出しおよび行方向設定項目と判別可能に表示しているが、これに限らず、行方向については、カーソル２０が表示されているチャネルの「ＣＨ」の文字の部位だけを囲むように表示したり、列方向については、カーソル２０が表示されている設定項目に対する列方向全体を太枠２７ａによって取り囲むように表示することもできる。また、本発明の実施の形態では、本発明における測定装置を波形表示装置に適用した実施の形態について説明しているが、電力計やマルチメータなどの各種の測定装置に好適に用いることもできる。
【００３２】
さらに本発明の実施の形態では、設定頻度の高い設定項目について大きなポイント数の文字を常時表示させているが、例えば、カーソル２０が位置合わせされたときにのみ、その設定項目に対応する文字または記号を拡大表示することもできる。
【００３３】
【発明の効果】
以上のように、請求項１記載の測定装置によれば、カーソルが位置する表示部位に対応する設定項目と、他の設定項目とを判別可能に表示することにより、カーソルが表示されている表示部位に対応する設定項目を、他の設定項目と区別して容易に判別することができる結果、迅速かつ正確に動作条件などの設定操作を行うことができる。
【００３４】
また、請求項２記載の測定装置によれば、複数の設定項目からなる設定用画面などを表示部に表示する際に、カーソルが位置合わせされている表示部位に対応する行方向設定項目および列方向設定項目見出しと、他の行方向設定項目見出しおよび列方向設定項目見出しとを判別可能に表示することにより、オペレータは、カーソルによって指定されている設定項目を容易に判別することができ、これにより、動作条件などを迅速かつ、より正確に設定することができる。
【００３５】
さらに、請求項３，４記載の測定装置によれば、複数の行方向設定項目見出し（または複数の列方向設定見出し）のいずれか１つに対応する表示部位にカーソルが位置合わせされたときに、そのいずれか１つの行方向設定項目見出し（または列方向設定見出し）と、他の行方向設定項目見出し（または列方向設定見出し）とを判別可能に表示することにより、表示部における単位行方向当たりまたは単位列方向当たりに複数の設定項目があるときであっても、カーソルによって指定されている設定項目およびその設定項目の内容を容易に判別させることができ、これにより、オペレータは、さらに迅速かつ正確に動作条件などの設定操作を行うことができる。
【００３６】
また、請求項５記載の測定装置によれば、カーソルを位置合わせ可能な表示部位に表示する文字または記号を、少なくとも固定的に表示する文字または記号よりも拡大表示することにより、すべての文字を拡大表示する場合と比較して、装置の小型化を維持しつつ、設定項目の内容を読み取り易く表示させることができる。
【００３７】
さらに請求項６記載の測定装置によれば、設定頻度の高い設定項目についての文字または記号を拡大表示することにより、オペレータに対して、設定頻度の高い設定項目についての設定操作を正確かつ容易に実行させることができ、加えて、すべての設定項目についての文字や記号を拡大表示する場合と比較して、表示部の表示面積を有効に利用することができると共に装置の小型化を維持することができる。
【図面の簡単な説明】
【図１】
本発明の実施の形態に係る波形表示装置１の外観正面図である。
【図２】
本発明の実施の形態に係る波形表示装置１の電気的構成を示すブロック図である。
【図３】
本発明の実施の形態に係る波形表示装置１のチャネル設定用画面の表示画面図である。
【図４】
本発明の実施の形態に係る波形表示装置１のバリアブル設定用画面の表示画面図である。
【図５】
本発明の実施の形態に係る波形表示装置１のバリアブル設定用画面および設定値入力用画面の表示画面図である。
【図６】
出願人が既に開発している波形表示装置５１の外観正面図である。
【図７】
出願人が既に開発している波形表示装置５１のチャネル設定用画面の表示画面図である。
【図８】
出願人が既に開発している波形表示装置５１のチャネル設定用画面の他の表示画面図である。
【符号の説明】
１  波形表示装置
２  表示部
３  操作部
１２  ＣＰＵ
２０  カーソル
２１  波形表示用画面
２２  チャネル設定用画面
２３  バリアブル設定用画面
２５  列方向設定見出し
２５ａ  太枠
２６ａ  太枠
２７  列方向設定見出し
２７ａ  太枠
２８ａ  太枠
３０  カーソル